【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
患者の胴体に外部から矯正力を印加するためのシステムであって、前記システムは、
垂直軸に沿って離間される複数のリング構造であって、前記複数のリング構造は、下位末端リング構造と、上位末端リング構造と、前記下位末端リング構造と前記上位末端リング構造との間に配置される少なくとも１つの中間リング構造とを含み、前記リング構造のうちの少なくともいくつかは、前記リング構造が前記患者の胴体の周囲に合うようにともに連結される複数の要素を備える、複数のリング構造と、
各垂直に隣接するリング構造の対間に配置される少なくとも１つの結合部材であって、各結合部材は、下端において下位リング構造に、かつ、上端において上位リング構造に調節可能に固定される、少なくとも１つの結合部材と
を備える、システム。
【請求項２】
前記連結される要素は、個々の要素が、前記リング構造に追加され、または、前記リング構造から除去され、前記リング構造の予め選択されたサイズと予め選択された形状とのうちの少なくとも一方を変更し得るように、構成される、請求項１に記載のシステム。
【請求項３】
前記リング構造は、異なる幾何学形状を有する個々の連結された要素を備え、それによって、前記個々の連結された要素は、特定の周囲形状を提供するように選択される順序で接続されることが可能である、請求項２に記載のシステム。
【請求項４】
少なくともいくつかの円周方向に隣接する連結された要素は、相互に固定して取り付けられる、請求項２に記載のシステム。
【請求項５】
前記少なくともいくつかの円周方向に隣接する連結された要素は、ねじ山付き締結具によって接続される、請求項３に記載のシステム。
【請求項６】
前記リング構造のうちの少なくともいくつかは、調節可能な閉鎖構成要素によって継合されるように構成される前方間隙を有する、請求項１に記載のシステム。
【請求項７】
前記調節可能な閉鎖構成要素は、ストラップを備える、請求項６に記載のシステム。
【請求項８】
垂直に隣接するリング構造の対間に配置される少なくとも１つの結合部材が、前記リング構造の背側に位置する、請求項１に記載のシステム。
【請求項９】
前記リング構造の側面に位置し、垂直に隣接するリング構造の対間に配置される少なくとも１つの付加的結合部材をさらに備える、請求項８に記載のシステム。
【請求項１０】
前記リング構造のうちの少なくともいくつかは、単一平面内に存在する周辺を画定する、請求項１に記載のシステム。
【請求項１１】
前記リング構造のうちの少なくともいくつかは、垂直に離間される異なる平面内に存在する部分を有する周辺を画定する、請求項１に記載のシステム。
【請求項１２】
前記リング構造は、第１の平面と第２の平面との間に垂直に延在する連結された要素を含む、請求項１０に記載のシステム。
【請求項１３】
前記リング上位構造は、垂直に離間された異なる平面内に存在する部分を有する周辺を画定し、他の全てのリング構造が、単一平面内に存在する周辺を画定する、請求項１０に記載のシステム。
【手続補正２】
【補正対象書類名】明細書
【補正対象項目名】００２６
【補正方法】変更
【補正の内容】
【００２６】
具体的な実施形態では、軸方向に拡張可能な板ばねは、相互に摺動可能に固着される一対のばねプレートを含み、プレート内の第１のものの下端が、水平付勢部材に枢軸可能に取り付けられ、プレートの第２のものの上端が、自在継手に固着される。水平付勢部材は、典型的には、プレートの第１のものの下端に取り付けられる回転可能な軸と、水平軸に対して選択された撓みで拡張可能な板ばねを固定するためのクランプとを備える。自在継手は、典型的には、第２のプレートの上端に固定されるボールと、上位リング構造に固定されるソケットとを備える。
本発明は、例えば、以下を提供する。
（項目１）
患者の胴体に外部から矯正力を印加するためのシステムであって、前記システムは、
垂直軸に沿って離間される複数のリング構造であって、前記複数のリング構造は、下位末端リング構造と、上位末端リング構造と、前記下位末端リング構造と前記上位末端リング構造との間に配置される少なくとも１つの中間リング構造とを含み、前記リング構造のうちの少なくともいくつかは、前記リング構造が、前記患者の胴体の周囲に合うようにともに連結される複数の要素を備える、複数のリング構造と、
各垂直に隣接するリング構造の対間に配置される少なくとも１つの結合部材であって、各結合部材は、下端において下位リング構造に、かつ、上端において上位リング構造に調節可能に固定される、少なくとも１つの結合部材と
を備える、システム。
（項目２）
前記連結される要素は、個々の要素が、前記リング構造に追加され、または、前記リング構造から除去され、前記リング構造の予め選択されたサイズと予め選択された形状とのうちの少なくとも一方を変更し得るように、構成される、項目１に記載のシステム。
（項目３）
前記リング構造は、異なる幾何学形状を有する個々の連結された要素を備え、それによって、前記個々の連結された要素は、特定の周囲形状を提供するように選択される順序で接続されることが可能である、項目２に記載のシステム。
（項目４）
少なくともいくつかの円周方向に隣接する連結された要素は、相互に固定して取り付けられる、項目２に記載のシステム。
（項目５）
前記少なくともいくつかの円周方向に隣接する連結された要素は、ねじ山付き締結具によって接続される、項目３に記載のシステム。
（項目６）
前記リング構造のうちの少なくともいくつかは、調節可能な閉鎖構成要素によって継合されるように構成される前方間隙を有する、項目１に記載のシステム。
（項目７）
前記調節可能な閉鎖構成要素は、ストラップを備える、項目６に記載のシステム。
（項目８）
垂直に隣接するリング構造の対間に配置される少なくとも１つの結合部材が、前記リング構造の背側に位置する、項目１に記載のシステム。
（項目９）
前記リング構造の側面に位置し、垂直に隣接するリング構造の対間に配置される少なくとも１つの付加的結合部材をさらに備える、項目８に記載のシステム。
（項目１０）
前記リング構造のうちの少なくともいくつかは、単一平面内に存在する周辺を画定する、項目１に記載のシステム。
（項目１１）
前記リング構造のうちの少なくともいくつかは、垂直に離間される異なる平面内に存在する部分を有する周辺を画定する、項目１に記載のシステム。
（項目１２）
前記リング構造は、第１の平面と第２の平面との間に垂直に延在する連結された要素を含む、項目１０に記載のシステム。
（項目１３）
前記リング上位構造は、垂直に離間された異なる平面内に存在する部分を有する周辺を画定し、他の全てのリング構造が、単一平面内に存在する周辺を画定する、項目１０に記載のシステム。
（項目１４）
患者の胴体に外部から矯正力を印加するためのシステムであって、前記システムは、
複数のリング構造であって、前記複数のリング構造は、各々が、前記患者の胴体の周囲に合うように構成され、各々が、垂直軸周りの離間された実質的に同軸の構成で位置付けられ、前記複数のリング構造は、下位末端リング構造と、上位末端リング構造と、前記下位末端リング構造と前記上位末端リング構造との間に配置される少なくとも１つの中間リング構造とを含み、前記上位リング構造は、前記患者の背面の上側領域に跨架し、かつ、前記患者の両腕の下方において前記患者の胴体に跨架するように下向きに延在するように構成される、複数のリング構造と、
各垂直に隣接するリング構造の対間に配置される少なくとも１つの弾性部材であって、各弾性部材は、下端において下位リングユニットに、かつ、上端において前記上位リングに固着され、調節可能に固定される、少なくとも１つの弾性部材と
を備える、システム。
（項目１５）
前記上位リング構造は、前記患者の両腕の上方において前記患者の胴体の前方領域に跨架するようにさらに構成される、項目１１に記載のシステム。
（項目１６）
前記上位リング構造は、後方領域と、一対の側方領域と、前方領域とを有し、前記後方領域、前記側方領域、および前記前方領域の各々は、前記垂直軸に対して略水平に整列され、前記領域は、垂直領域によって相互接続される、項目１２に記載のシステム。
（項目１７）
前記リング構造のうちの少なくともいくつかは、前記リング構造が、前記患者の胴体の周囲に合うようにともに連結される、複数の要素を備える、項目１３に記載のシステム。
（項目１８）
前記ともに連結された複数の要素は、水平要素と、垂直要素との両方を含む、項目１４に記載のシステム。
（項目１９）
患者の脊柱に矯正力を印加するためのシステムを構成するための方法であって、前記方法は、
複数のリング要素を提供することと、
個々のリング要素をともに連結し、下位末端リング構造と、上位末端リング構造と、前記下位末端リング構造と上位末端リング構造との間に配置される少なくとも１つの中間リング構造とを形成することであって、各リング構造は、前記患者の胴体の周囲に合う、ことと、
前記下位末端リング構造と、前記上位末端リング構造と、前記少なくとも１つの中間リング構造とを垂直軸に沿って弾性的に継合し、前記システムを形成することと
を含む、方法。
（項目２０）
前記個々のリング要素のうちの少なくともいくつかは、異なる幾何学形状を有する、項目１９に記載の方法。
（項目２１）
前記個々のリング要素のうちの少なくとも５０％は、異なる幾何学形状を有する、項目１７に記載の方法。
（項目２２）
前記下位末端リング構造と、前記上位末端リング構造と、前記少なくとも１つの中間リング構造とを垂直軸に沿って弾性的に継合することは、各垂直に隣接するリング構造の対間に少なくとも１つの弾性部材を設置することを含む、項目１９に記載の方法。
（項目２３）
各弾性部材は、下端において前記下位リング構造に、かつ、上端において前記上位リング構造に固着され、調節可能に固定される、項目１９に記載の方法。
（項目２４）
患者の胴体に外部から矯正力を印加するためのシステムであって、前記システムは、
垂直軸に沿って離間される複数のリング構造であって、前記複数のリング構造は、下位末端リング構造と、上位末端リング構造と、前記下位末端リング構造と前記上位末端リング構造との間に配置される少なくとも１つの中間リング構造とを含む、複数のリング構造と、
各垂直に隣接するリング構造の対間に配置される少なくとも１つの結合部材であって、各結合部材は、下端において前記下位リング構造に、かつ、上端において前記上位リング構造に固定され、前記結合部材は、前記垂直に隣接するリング間に水平な変位力を印加するように構成される、少なくとも１つの結合部材と、
前記患者の肩にわたって垂直かつ調節可能に位置付けられるように構成され、上位構造に取り付けられるハーネスと、
各前記垂直に隣接するリングの対間の複数の垂直懸吊部材と
を備える、システム。
（項目２５）
患者の胴体に外部から矯正力を印加するためのシステムであって、前記システムは、
垂直軸に沿って離間される複数のリング構造であって、前記複数のリング構造は、下位末端リング構造と、上位末端リング構造と、前記下位末端リング構造と前記上位末端リング構造との間に配置される少なくとも１つの中間リング構造とを含む、複数のリング構造と、
各垂直に隣接するリング構造の対間に配置される少なくとも１つの結合部材であって、各結合部材は、下端において前記下位リング構造に、かつ、上端において前記上位リング構造に固定され、前記結合部材は、前記垂直に隣接するリング間に水平な変位力を印加するように構成される、少なくとも１つの結合部材と、
前記上位リング構造の上方に垂直に位置付けられる右側方端部および左側方端部を有する後部バーと、
前記上位リング構造と前記後部バーとの間に配置される少なくとも１つの上位結合部材であって、前記上位結合部材は、下端において前記上位リング構造に、かつ、上端において前記後部バーに固着され、前記上位結合部材は、前記上位リング構造と前記後部バーとの間に水平な変位力を印加するように構成される、少なくとも１つの上位結合部材と、
前記後部バーの側方端部のうちの一方に取付可能な少なくとも１つの肩ストラップであって、前記ストラップは、隣接する肩を囲み、前記後部バーからの力を伝達するように構成される、少なくとも１つの肩ストラップと
を備える、システム。
（項目２６）
患者の胴体に外部から矯正力を印加するためのシステムであって、前記システムは、
垂直軸に沿って離間される複数のリング構造であって、前記複数のリング構造は、下位末端リング構造と、上位末端リング構造と、前記下位末端リング構造と前記上位末端リング構造との間に配置される少なくとも１つの中間リング構造とを含む、複数のリング構造と、
各垂直に隣接するリング構造の対間に配置される少なくとも１つの結合部材であって、各結合部材は、
（ａ）上端と下端とを有する軸方向に拡張可能な板ばねと、
（ｂ）前記下位リング構造と前記軸方向に拡張可能な板ばねの下端との間に枢軸可能に固着される水平付勢部材と、
（ｃ）前記軸方向に拡張可能な板ばねの上端と前記上位リング構造との間に固着される自在継手と
を備える、少なくとも１つの結合部材と
を備える、システム。
（項目２７）
前記軸方向に拡張可能な板ばねは、相互に摺動可能に固着される一対のばねプレートを備え、前記プレートの第１のものの下端は、前記水平付勢部材に枢軸可能に取り付けられ、前記プレートの第２のものの上端は、前記自在継手に固着される、項目２６に記載のシステム。
（項目２８）
前記水平付勢部材は、前記プレートの第１のものの下端に取り付けられる回転可能な軸と、前記水平軸に対して選択された撓みで前記拡張可能な板ばねを固定するためのクランプとを備える、項目２７に記載のシステム。
（項目２９）
前記自在継手は、第２のプレートの上端に固定されるボールと、前記上位リング構造に固定されるソケットとを備える、項目２８に記載のシステム。